【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
発信側ユーザ機器(UE)でのワイヤレス通信の方法であって、
呼接続を確立することを求める要求を終端側UEに送るステップと、
前記呼接続を確立することに対する確認応答を前記終端側UEから受信するステップと、
前記終端側UEとメディアパケットを通信するために、前記発信側UEとネットワークとの間に少なくとも1つの第1の専用ベアラを確立するステップと、
前記確立された少なくとも1つの第1の専用ベアラを介して、前記終端側UEに第1のダミーデータを送るステップと、
前記確立された少なくとも1つの第1の専用ベアラを介して、前記終端側UEから第2のダミーデータまたはメディアパケットのうちの少なくとも1つを受信するステップであって、前記終端側UEから前記第2のダミーデータまたは前記メディアパケットのうちの前記少なくとも1つを前記受信することが、前記発信側UEとメディアパケットを通信するために、前記終端側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、
前記終端側UEから前記第2のダミーデータまたは前記メディアパケットのうちの前記少なくとも1つを受信した後、前記確立された少なくとも1つの第1の専用ベアラを介して、
前記終端側UEとメディアパケットを交換するステップと
を含む、方法。
【請求項２】
前記QoSパラメータは少なくとも最大ビットレート(MBR)および保証ビットレート(GBR)を含む、請求項1に記載の方法。
【請求項３】
前記第2のダミーデータまたは前記メディアパケットのうちの前記少なくとも1つが前記終端側UEから受信されるまで、前記第1のダミーデータが、前記終端側UEに周期的に送られる、請求項1に記載の方法。
【請求項４】
前記少なくとも1つの第1の専用ベアラを確立する前記ステップが、少なくとも最大ビットレート(MBR)および保証ビットレート(GBR)を含むQoSパラメータを有するサービス品質(QoS)フローをセットアップするステップを含む、請求項1に記載の方法。
【請求項５】
前記メディアパケットが、前記QoSフローを介して交換される、請求項4に記載の方法。
【請求項６】
前記終端側UEに前記第1のダミーデータを前記送ることが、前記終端側UEとメディアパケットを通信するために、前記発信側UEと前記ネットワークとの間に前記少なくとも1つの第1の専用ベアラが確立されたことを前記終端側UEに示す、請求項1に記載の方法。
【請求項７】
前記少なくとも1つの第1の専用ベアラが確立され、前記終端側UEから前記第2のダミーデータまたは前記メディアパケットのうちの前記少なくとも1つが受信された後、前記発信側UEにあるユーザインターフェースに前記呼接続が確立されたことを知らせるステップをさらに含む、請求項1に記載の方法。
【請求項８】
終端側ユーザ機器(UE)でのワイヤレス通信の方法であって、
呼接続を確立することを求める要求を発信側UEから受信するステップと、
前記呼接続を確立することに対する確認応答を前記発信側UEに送るステップと、
前記発信側UEとメディアパケットを通信するために、前記終端側UEとネットワークとの間に少なくとも1つの第1の専用ベアラを確立するステップと、
前記確立された少なくとも1つの第1の専用ベアラを介して、前記発信側UEに第1のダミーデータを送るステップと、
前記確立された少なくとも1つの第1の専用ベアラを介して、前記発信側UEから第2のダミーデータまたはメディアパケットのうちの少なくとも1つを受信するステップであって、前記発信側UEから前記第2のダミーデータまたは前記メディアパケットのうちの前記少なくとも1つを前記受信することが、前記終端側UEとメディアパケットを通信するために、前記発信側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、ステップと、
前記発信側UEから前記第2のダミーデータまたは前記メディアパケットのうちの前記少なくとも1つを受信した後、前記確立された少なくとも1つの第1の専用ベアラを介して、
前記発信側UEとメディアパケットを交換するステップと
を含む、方法。
【請求項９】
前記少なくとも1つの第1の専用ベアラを前記確立するステップが、少なくとも最大ビットレート(MBR)および保証ビットレート(GBR)を含むQoSパラメータを有するサービス品質(QoS)フローをセットアップするステップを含む、請求項8に記載の方法。
【請求項１０】
前記第2のダミーデータまたは前記メディアパケットのうちの前記少なくとも1つが前記発信側UEから受信されるまで、前記第1のダミーデータが、前記発信側UEに周期的に送られる、請求項8に記載の方法。
【請求項１１】
前記少なくとも1つの第1の専用ベアラが確立され、前記発信側UEから前記第2のダミーデータまたは前記メディアパケットのうちの前記少なくとも1つが受信された後、前記終端側UEにあるユーザインターフェースに前記呼接続が確立されたことを知らせるステップをさらに含む、請求項8に記載の方法。
【請求項１２】
発信側ユーザ機器(UE)でのワイヤレス通信のための装置であって、
呼接続を確立することを求める要求を終端側UEに送ることと、
前記呼接続を確立することに対する確認応答を前記終端側UEから受信することと、
前記終端側UEとメディアパケットを通信するために、前記発信側UEとネットワークとの間に少なくとも1つの第1の専用ベアラを確立することと、
前記確立された少なくとも1つの第1の専用ベアラを介して、前記終端側UEに第1のダミーデータを送ることと、
前記確立された少なくとも1つの第1の専用ベアラを介して、前記終端側UEから第2のダミーデータまたはメディアパケットのうちの少なくとも1つを受信することと、
前記終端側UEから前記第2のダミーデータまたは前記メディアパケットのうちの前記少なくとも1つを受信した後、前記確立された少なくとも1つの第1の専用ベアラを介して、
前記終端側UEとメディアパケットを交換することと
を行うように構成された、処理システムであって、前記終端側UEから前記第2のダミーデータまたは前記メディアパケットのうちの前記少なくとも1つを前記受信することが、前記発信側UEとメディアパケットを通信するために、前記終端側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、処理システム
を備える、装置。
【請求項１３】
前記QoSパラメータは少なくとも最大ビットレート(MBR)および保証ビットレート(GBR)を含む、請求項12に記載の装置。
【請求項１４】
前記第2のダミーデータまたは前記メディアパケットのうちの前記少なくとも1つが前記終端側UEから受信されるまで、前記第1のダミーデータが、前記終端側UEに周期的に送られる、請求項12に記載の装置。
【請求項１５】
前記少なくとも1つの第1の専用ベアラを確立するように構成された前記処理システムが、少なくとも最大ビットレート(MBR)および保証ビットレート(GBR)を含むQoSパラメータを有するサービス品質(QoS)フローをセットアップするようにさらに構成された、請求項12に記載の装置。
【請求項１６】
前記メディアパケットが、前記QoSフローを介して交換される、請求項15に記載の装置。
【請求項１７】
前記終端側UEに前記第1のダミーデータを前記送ることが、前記終端側UEとメディアパケットを通信するために、前記発信側UEと前記ネットワークとの間に前記少なくとも1つの第1の専用ベアラが確立されたことを前記終端側UEに示す、請求項12に記載の装置。
【請求項１８】
前記処理システムが、前記少なくとも1つの第1の専用ベアラが確立され、前記終端側UEから前記第2のダミーデータまたは前記メディアパケットのうちの前記少なくとも1つが受信された後、前記発信側UEにあるユーザインターフェースに前記呼接続が確立されたことを知らせるようにさらに構成された、請求項12に記載の装置。
【請求項１９】
終端側ユーザ機器(UE)でのワイヤレス通信のための装置であって、
呼接続を確立することを求める要求を発信側UEから受信することと、
前記呼接続を確立することに対する確認応答を前記発信側UEに送ることと、
前記発信側UEとメディアパケットを通信するために、前記終端側UEとネットワークとの間に少なくとも1つの第1の専用ベアラを確立することと、
前記確立された少なくとも1つの第1の専用ベアラを介して、前記発信側UEに第1のダミーデータを送ることと、
前記確立された少なくとも1つの第1の専用ベアラを介して、前記発信側UEから第2のダミーデータまたはメディアパケットのうちの少なくとも1つを受信することと、
前記発信側UEから前記第2のダミーデータまたは前記メディアパケットのうちの前記少なくとも1つを受信した後、前記確立された少なくとも1つの第1の専用ベアラを介して、
前記発信側UEとメディアパケットを交換することと
を行うように構成された、処理システムであって、前記終端側UEから前記第2のダミーデータまたは前記メディアパケットのうちの前記少なくとも1つを前記受信することが、前記発信側UEとメディアパケットを通信するために、前記終端側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、処理システム
を備える、装置。
【請求項２０】
前記少なくとも1つの第1の専用ベアラを確立するように構成された前記処理システムが、少なくとも最大ビットレート(MBR)および保証ビットレート(GBR)を含むQoSパラメータを有するサービス品質(QoS)フローをセットアップするようにさらに構成された、請求項19に記載の装置。
【請求項２１】
前記第2のダミーデータまたは前記メディアパケットのうちの前記少なくとも1つが前記発信側UEから受信されるまで、前記第1のダミーデータが、前記発信側UEに周期的に送られる、請求項19に記載の装置。
【請求項２２】
前記処理システムが、前記少なくとも1つの第1の専用ベアラが確立され、前記発信側UEから前記第2のダミーデータまたは前記メディアパケットのうちの前記少なくとも1つが受信された後、前記終端側UEにあるユーザインターフェースに前記呼接続が確立されたことを知らせるようにさらに構成された、請求項19に記載の装置。
【請求項２３】
発信側ユーザ機器(UE)にあるコンピュータプログラムであって、
呼接続を確立することを求める要求を終端側UEに送ることと、
前記呼接続を確立することに対する確認応答を前記終端側UEから受信することと、
前記終端側UEとメディアパケットを通信するために、前記発信側UEとネットワークとの間に少なくとも1つの第1の専用ベアラを確立することと、
前記確立された少なくとも1つの第1の専用ベアラを介して、前記終端側UEに第1のダミーデータを送ることと、
前記確立された少なくとも1つの第1の専用ベアラを介して、前記終端側UEから第2のダミーデータまたはメディアパケットのうちの少なくとも1つを受信することと、
前記終端側UEから前記第2のダミーデータまたは前記メディアパケットのうちの前記少なくとも1つを受信した後、前記確立された少なくとも1つの第1の専用ベアラを介して、
前記終端側UEとメディアパケットを交換することと
を行うためのコードを含み、前記終端側UEから前記第2のダミーデータまたは前記メディアパケットのうちの前記少なくとも1つを前記受信することが、前記発信側UEとメディアパケットを通信するために、前記終端側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、
コンピュータプログラム。
【請求項２４】
前記QoSパラメータは少なくとも最大ビットレート(MBR)および保証ビットレート(GBR)を含む、請求項23に記載のコンピュータプログラム。
【請求項２５】
前記第2のダミーデータまたは前記メディアパケットのうちの前記少なくとも1つが前記終端側UEから受信されるまで、前記第1のダミーデータが、前記終端側UEに周期的に送られる、請求項23に記載のコンピュータプログラム。
【請求項２６】
前記少なくとも1つの第1の専用ベアラを前記確立することが、少なくとも最大ビットレート(MBR)および保証ビットレート(GBR)を含むQoSパラメータを有するサービス品質(QoS)フローをセットアップすることを含む、請求項23に記載のコンピュータプログラム。
【請求項２７】
前記メディアパケットが、前記QoSフローを介して交換される、請求項26に記載のコンピュータプログラム。
【請求項２８】
前記終端側UEに前記第1のダミーデータを前記送ることが、前記終端側UEとメディアパケットを通信するために、前記発信側UEと前記ネットワークとの間に前記少なくとも1つの第1の専用ベアラが確立されたことを前記終端側UEに示す、請求項23に記載のコンピュータプログラム。
【請求項２９】
前記少なくとも1つの第1の専用ベアラが確立され、前記終端側UEから前記第2のダミーデータまたは前記メディアパケットのうちの前記少なくとも1つが受信された後、前記発信側UEにあるユーザインターフェースに前記呼接続が確立されたことを知らせるためのコードをさらに含む、請求項23に記載のコンピュータプログラム。
【請求項３０】
終端側ユーザ機器(UE)にあるコンピュータプログラムであって、
呼接続を確立することを求める要求を発信側UEから受信することと、
前記呼接続を確立することに対する確認応答を前記発信側UEに送ることと、
前記発信側UEとメディアパケットを通信するために、前記終端側UEとネットワークとの間に少なくとも1つの第1の専用ベアラを確立することと、
前記確立された少なくとも1つの第1の専用ベアラを介して、前記発信側UEに第1のダミーデータを送ることと、
前記確立された少なくとも1つの第1の専用ベアラを介して、前記発信側UEから第2のダミーデータまたはメディアパケットのうちの少なくとも1つを受信することと、
前記発信側UEから前記第2のダミーデータまたは前記メディアパケットのうちの前記少なくとも1つを受信した後、前記確立された少なくとも1つの第1の専用ベアラを介して、前記発信側UEとメディアパケットを交換することと
を行うためのコードを含み、前記終端側UEから前記第2のダミーデータまたは前記メディアパケットのうちの前記少
なくとも1つを前記受信することが、前記発信側UEとメディアパケットを通信するために、前記終端側UEと前記ネットワークとの間に少なくとも1つの第2の専用ベアラが確立されたことを示し、前記少なくとも1つの第2の専用ベアラの前記確立が、QoSパラメータを有するサービス品質(QoS)フローが前記終端側UEでセットアップされたことを示す、
コンピュータプログラム。
【請求項３１】
前記少なくとも1つの第1の専用ベアラを前記確立することが、少なくとも最大ビットレート(MBR)および保証ビットレート(GBR)を含むQoSパラメータを有するサービス品質(QoS)フローをセットアップすることを含む、請求項30に記載のコンピュータプログラム。
【請求項３２】
前記第2のダミーデータまたは前記メディアパケットのうちの前記少なくとも1つが前記発信側UEから受信されるまで、前記第1のダミーデータが、前記発信側UEに周期的に送られる、請求項30に記載のコンピュータプログラム。
【請求項３３】
前記少なくとも1つの第1の専用ベアラが確立され、前記発信側UEから前記第2のダミーデータまたは前記メディアパケットのうちの前記少なくとも1つが受信された後、前記終端側UEにあるユーザインターフェースに前記呼接続が確立されたことを知らせるためのコードをさらに含む、請求項30に記載のコンピュータプログラム。